(57)【要約】【課題】そのテレビジョン放送の視聴中にそのテレビジョン放送において提供された情報を簡便に取得することができない。【解決手段】テレビジョン放送の内容を要約した内容情報を、テレビジョン放送の放送時間に対応付けて格納した内容情報サーバと、テレビジョン放送を受信して内容を表示するテレビジョン受信機と、サーバと通信する携帯端末とを備える放送内容確認システムであって、携帯端末は、テレビジョン受信機に表示された内容に対する内容情報の要求の入力を受け付け、入力を受け付けた場合にサーバと通信し、内容情報サーバは、携帯端末から要求を受信した時刻の放送時間に対応する内容情報を抽出し、携帯端末に送信する。【選択図】図１
2007184708.tif 000002
【特許請求の範囲】
【請求項１】
テレビジョン放送の内容を要約した内容情報を、前記テレビジョン放送の放送時間に対応付けて格納した内容情報サーバと、
前記テレビジョン放送を受信して前記内容を表示するテレビジョン受信機と、
前記サーバと通信する携帯端末と
を備え、
前記携帯端末は、前記テレビジョン受信機に表示された前記内容に対する内容情報の要求の入力を受け付け、前記入力を受け付けた場合に前記サーバと通信し、
前記内容情報サーバは、前記携帯端末から前記要求を受信した時刻の放送時間に対応する前記内容情報を抽出し、前記携帯端末に送信する放送内容確認システム。
【請求項２】
前記内容情報サーバは、前記携帯端末から前記要求を受信した後に新たに格納した内容情報を前記携帯端末に送信する請求項１に記載の放送内容確認システム。
【請求項３】
前記内容情報サーバは、さらにチャンネル番号に対応付けて前記内容情報を格納しており、
前記携帯端末は、前記要求に対応付けてチャンネル番号を送信し、
前記内容情報サーバは、前記携帯端末から前記要求を受信した前記時刻および前記要求に対応付けられた前記チャンネル番号に基づいて、前記内容情報を抽出する請求項１に記載の放送内容確認システム。
【請求項４】
テレビジョン放送の内容を要約した内容情報を、前記テレビジョン放送の放送時間に対応付けて格納した内容情報サーバと、
前記テレビジョン放送を受信して前記内容を表示するテレビジョン受信機と、
前記サーバと通信する携帯端末と
を備える放送内容確認システムを用いた放送内容を確認する方法内容確認方法であって、
前記携帯端末を用いて前記テレビジョン受信機に表示された前記内容に対する内容情報の要求の入力を受け付けさせ、前記入力を受け付けた場合に前記サーバと通信させる手順と、
前記内容情報サーバを用いて前記携帯端末から前記要求を受信した時刻の放送時間に対応する前記内容情報を抽出させ、前記携帯端末に送信させる手順と、
を備える方法内容確認方法。
【発明の詳細な説明】
【技術分野】
【０００１】
本発明は、放送内容確認システム、放送内容確認方法に関する。特に、本発明は、テレビジョン放送の内容を要約した内容情報を携帯端末に送信する放送内容確認システム、および、放送内容確認方法に関する。
【背景技術】
【０００２】
大量のテレビ番組を自動録画し、自動録画したテレビ番組を所定期間経過後に自動削除するパーソナルコンピュータが知られている（例えば、非特許文献１参照。）。非特許文献１に記載のパーソナルコンピュータによれば、視聴者は、テレビ番組の視聴中に、テレビ番組において提供された情報を書き留めることができなかった場合であっても、自動録画されていたテレビ番組を再生することにより、その情報を取得することができる。
【非特許文献１】http://prius.hitachi.co.jp/go/prius/pc/2005sep/note_series/concept2.html
【発明の開示】
【発明が解決しようとする課題】
【０００３】
しかしながら、非特許文献１に記載のパーソナルコンピュータによれば、視聴者は、テレビ番組の視聴中にテレビ番組を録画していない場合、そのテレビ番組において提供された情報を書き留めることができなかったときは、その情報を取得することができないという課題がある。また、家電量販店等の戸外に設置されたテレビでテレビ番組を視聴していた視聴者は、そのテレビ番組において提供された情報を書き留めることができなかった場合に、そのテレビ番組が自宅等に置かれた当該パーソナルコンピュータにおいて自動録画されていたときであっても、自動録画された大量のテレビ番組の中からその情報を探し出さなければならないという課題がある。
【課題を解決するための手段】
【０００４】
上記課題を解決するために、本発明の第１の形態においては、テレビジョン放送の内容を要約した内容情報を、テレビジョン放送の放送時間に対応付けて格納した内容情報サーバと、テレビジョン放送を受信して内容を表示するテレビジョン受信機と、サーバと通信する携帯端末とを備える放送内容確認システムであって、携帯端末は、テレビジョン受信機に表示された内容に対する内容情報の要求の入力を受け付け、入力を受け付けた場合にサーバと通信し、内容情報サーバは、携帯端末から要求を受信した時刻の放送時間に対応する内容情報を抽出し、携帯端末に送信する。これにより、テレビジョン放送を視聴中の視聴者は、そのテレビジョン放送の視聴中にそのテレビジョン放送において提供された情報を簡便に取得することができる。また、テレビジョン放送において情報を提供する提供者は、そのテレビジョン放送を視聴中の視聴者に対して確実に情報を提供することができる。
【０００５】
内容情報サーバは、携帯端末から要求を受信した後に新たに格納した内容情報を携帯端末に送信してもよい。これにより、テレビジョン放送を視聴中の視聴者は、そのテレビジョン放送が生放送であるテレビジョン放送であっても、そのテレビジョン放送の視聴中にそのテレビジョン放送において提供された情報を簡便に取得することができる。また、テレビジョン放送において情報を提供する提供者は、そのテレビジョン放送が生放送であるテレビジョン放送であっても、そのテレビジョン放送を視聴中の視聴者に対して確実に情報を提供することができる。
【０００６】
内容情報サーバは、さらにチャンネル番号に対応付けて内容情報を格納しており、携帯端末は、要求に対応付けてチャンネル番号を送信し、内容情報サーバは、携帯端末から要求を受信した時刻および要求に対応付けられたチャンネル番号に基づいて、内容情報を抽出してもよい。これにより、テレビジョン放送を視聴中の視聴者は、そのテレビジョン放送がいずれのテレビ局のテレビジョン放送であっても、そのテレビジョン放送の視聴中にそのテレビジョン放送において提供された情報を簡便に取得することができる。また、いずれのテレビ局のテレビジョン放送であっても、テレビジョン放送において情報を提供する提供者は、そのテレビジョン放送を視聴中の視聴者に対して確実に情報を提供することができる。
【０００７】
上記課題を解決するために、本発明の第２の形態においては、テレビジョン放送の内容を要約した内容情報を、テレビジョン放送の放送時間に対応付けて格納した内容情報サーバと、テレビジョン放送を受信して内容を表示するテレビジョン受信機と、サーバと通信する携帯端末とを備える放送内容確認システムを用いた放送内容を確認する方法内容確認方法であって、携帯端末を用いてテレビジョン受信機に表示された内容に対する内容情報の要求の入力を受け付けさせ、入力を受け付けた場合にサーバと通信させる手順と、内容情報サーバを用いて携帯端末から要求を受信した時刻の放送時間に対応する内容情報を抽出させ、携帯端末に送信させる手順とを備える。これにより、第１の実施形態と同様の効果を得ることができる。
【０００８】
なお、上記の発明の概要は、本発明の必要な特徴の全てを列挙したものではなく、これらの特徴群のサブコンビネーションもまた、発明となりうる。
【発明を実施するための最良の形態】
【０００９】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【実施例１】
【００１０】
図１は、放送内容確認システム１０の一例を示す。放送内容確認システム１０は、テレビジョン放送の内容を要約した複数の内容情報を格納した内容情報データベース１１０を格納した内容情報サーバ１００と、複数のテレビ局１４０、１４１から送信されるテレビジョン放送を受信してテレビジョン放送の内容をユーザ２００に表示するテレビジョン受信機１２０と、表示部１３２および入力部１３４を有する携帯端末１３０とを備える。携帯端末１３０は、入力部１３４を介してユーザ２００の入力を受け付けて、内容情報サーバ１００とネットワーク１８０を介して通信する。
【００１１】
テレビジョン受信機１６０、１６１は、テレビ局１４０、１４１から送信されるテレビジョン放送を受信してテレビジョン放送の内容を情報作成者３００、３０１に表示する。パーソナルコンピュータ１５０、１５１は、キーボード、マウス等の入力デバイスを備え、情報作成者３００、３０１によって入力された情報に基づいて内容情報を生成する。例えば、パーソナルコンピュータ１５０は、キーボードを介して情報作成者３００により入力されたテキストを内容情報１１２として生成する。また、パーソナルコンピュータ１５０、１５１は、生成する内容情報に対応付けるテレビジョン放送のチャンネル番号、および、テレビジョン放送の放送時刻を、例えば、情報作成者３００からの入力により取得する。
【００１２】
パーソナルコンピュータ１５０、１５１は、生成した内容情報をテレビジョン放送のチャンネル番号、および、テレビジョン放送の放送時刻に対応付けて、内容情報サーバ１００に送信する。
【００１３】
図２は、内容情報データベース１１０の一例を模式的に示す。内容情報サーバ１００は、内容情報データベース１１０に、受信した内容情報をテレビジョン放送のチャンネル番号、および、テレビジョン放送の放送時刻に対応付けて複数の内容情報１１２、１１４を格納する。また、内容情報サーバ１００は、内容情報データベース１１０に、内容情報、チャンネル番号、および、放送時刻に加えて、図２に示すように、それぞれの内容情報１１２、１１４を格納した格納時刻を格納する。
【００１４】
図３は、携帯端末１３０のチャンネル選択画面１３６の一例を模式的に示す。内容情報サーバ１００は、内容情報データベース１１０に加えて、チャンネル番号に対応するチャンネルボタンを配し、チャンネル番号の選択を受け付けるチャンネル選択画面１３６としてのＷｅｂページを格納する。携帯端末１３０は、当該Ｗｅｂページにアクセスすることにより、図３に示すように、チャンネル選択画面１３６を表示部１３２に表示する。
【００１５】
図４は、放送内容確認システム１０の動作の一例をフローチャートで示す。図５は、内容情報サーバ１００が格納する未処理情報の一例を模式的に示す。図６は、表示部１３２に表示される内容情報１１２の一例を示す。図７は、表示部１３２に表示されるリンク情報１１８の一例を示す。図４に示すフローチャートは、携帯端末１３０が、チャンネル選択画面１３６を介して、家電量販店の売り場においてチャンネル番号「４」のテレビジョン放送を観ていたユーザ２００から、チャンネル番号「４」の入力を受け付けたことにより開始する。なお、図４に示す左側フローチャートは携帯端末１３０の動作を、右側フローチャートは内容情報サーバ１００の動作を示す。
【００１６】
携帯端末１３０は、内容情報サーバ１００に対して、チャンネル番号「４」に係るテレビジョン放送の内容を要約した内容情報１１２を要求する要求情報を送信する（Ｓ１００）。要求情報は、チャンネル番号「４」をデータ（ペイロード）として含み、内容情報サーバ１００を識別する情報、携帯端末１３０を識別する情報「Ｕ１」をデータ（ヘッダ）として含む。
【００１７】
内容情報サーバ１００は、携帯端末１３０から送信された要求情報を受信する。そして内容情報サーバ１００は、図５に示すように、当該要求情報を受信した受信時刻「２月１日１９時１０分１９秒」に対応付けて、当該要求情報に含まれるチャンネル番号「４」および携帯端末１３０を識別する情報「Ｕ１」を未処理情報として一時的に格納する（Ｓ２０２）。
【００１８】
内容情報サーバ１００は、パーソナルコンピュータ１５０または１５１から、チャンネル番号「４」、および、テレビジョン放送の放送時刻「２月１日１９時１０分００秒」に対応付けて内容情報１１２を受信する。内容情報サーバ１００は、受信した内容情報１１２を、チャンネル番号「４」、および、放送時刻「２月１日１９時１０分００秒」に対応付けて内容情報データベース１１０に格納する（Ｓ２０４）。内容情報サーバ１００は、また、図２に示すように、チャンネル番号「４」、放送時刻「２月１日１９時１０分００秒」に加え、内容情報サーバ１００が内容情報１１２を内容情報データベース１１０に格納した格納時刻「２月１日１９時１２分００秒」を、内容情報データベース１１０に格納する。
【００１９】
内容情報サーバ１００は、ステップＳ２０２において格納した当該要求情報に係る未処理情報に含まれる受信時刻「２月１日１９時１０分１９秒」およびチャンネル番号「４」に基づいて、内容情報データベース１１０から当該要求情報に対応する内容情報１１２を抽出する。具体的には、内容情報サーバ１００は、内容情報データベース１１０から、チャンネル番号が当該要求情報に係る未処理情報に含まれるチャンネル番号「４」であって、格納時刻が当該要求情報に係る受信時刻「２月１日１９時１０分１９秒」から「１５秒」を減算した「２月１日１９時１０分０４秒」よりも後である内容情報１１２を抽出する（Ｓ２０６）。
【００２０】
内容情報サーバ１００は、ステップＳ２０６において、内容情報データベース１１０から当該要求情報に対応する内容情報１１２を抽出することができたか否かを判断する（Ｓ２０８）。内容情報サーバ１００は、内容情報データベース１１０から当該要求情報に対応する内容情報１１２を抽出することができなかったと判断した場合（Ｓ２０８：Ｎｏ）、ステップＳ２０４に戻る。すなわち、内容情報サーバ１００は、パーソナルコンピュータ１５０、１５１から当該要求情報に対応する内容情報１１２を受信し内容情報データベース１１０に格納することにより（Ｓ２０４）、当該要求情報に対応する内容情報１１２を抽出するまで、ステップＳ２０４からＳ２０８を繰り返す。これにより、テレビジョン放送を視聴中の視聴者は、そのテレビジョン放送が生放送であるテレビジョン放送であっても、そのテレビジョン放送の視聴中にそのテレビジョン放送において提供された情報を簡便に取得することができる。また、テレビジョン放送において情報を提供する提供者は、そのテレビジョン放送が生放送であるテレビジョン放送であっても、そのテレビジョン放送を視聴中の視聴者に対して確実に情報を提供することができる。
【００２１】
一方、内容情報サーバ１００は、内容情報データベース１１０から当該要求情報に対応する内容情報１１２を抽出することができたと判断した場合（Ｓ２０８：Ｙｅｓ）、内容情報サーバ１００は、ステップＳ１００において要求情報を送信した携帯端末１３０に対して、ステップＳ２０６において抽出した内容情報１１２をデータ（ペイロード）として含む応答情報を送信する（Ｓ２１０）。ここで、内容情報サーバ１００は、ステップＳ２０６において複数の内容情報１１２を抽出した場合には、格納時刻が当該要求情報に係る受信時刻「２月１日１９時１０分１９秒」から「１５秒」を減算した「２月１日１９時１０分０４秒」よりも後に格納した内容情報１１２であって、「２月１日１９時１０分０４秒」に最も近い内容情報１１２を選択して、選択した内容情報１１２をデータ（ペイロード）として含む応答情報を送信する（同ステップ）。
【００２２】
また、内容情報サーバ１００は、当該要求情報に係る未処理情報を削除する。なお、応答情報は、内容情報１１２に加え、携帯端末１３０を識別する情報「Ｕ１」、内容情報サーバ１００を識別する情報をデータ（ヘッダ）として含む。
【００２３】
携帯端末１３０は、ステップＳ２１０において、内容情報サーバ１００から送信された応答情報を受信する（Ｓ１１２）。そして携帯端末１３０は、図６に示すように、受信した応答情報に含まれている内容情報１１２を表示部１３２に表示する。そして本フローチャートは終了する。これにより、テレビジョン放送を視聴中の視聴者は、そのテレビジョン放送がいずれのテレビ局のテレビジョン放送であっても、そのテレビジョン放送の視聴中にそのテレビジョン放送において提供された情報を簡便に取得することができる。また、いずれのテレビ局のテレビジョン放送であっても、テレビジョン放送において情報を提供する提供者は、そのテレビジョン放送を視聴中の視聴者に対して確実に情報を提供することができる。
【００２４】
なお、内容情報サーバ１００は、内容情報データベース１１０およびチャンネル選択画面１３６としてのＷｅｂページに加えて、内容情報１１２を記載したＷｅｂページ、および、特定のユーザの携帯端末により閲覧されるリンク情報１１８を有するＷｅｂページを格納してもよい。例えば、内容情報サーバ１００は、ステップＳ２０４において、内容情報１１２を内容情報データベース１１０に格納することにかえてまたは加えて、内容情報１１２を記載したＷｅｂページを生成する。また、内容情報サーバ１００は、例えば、最初に、ユーザ２００の携帯端末１３０から要求情報を受信し、当該要求情報に対応する内容情報１１２を抽出することができたと判断した場合（Ｓ２０８：Ｙｅｓ）、応答情報を送信することにかえてまたは加えて、ユーザ２００の携帯端末１３０により閲覧されるＷｅｂページを新規に生成する。そして内容情報サーバ１００は、ステップＳ２１０において、ユーザ２００の携帯端末１３０に対して内容情報１１２を含む応答情報を送信することにかえてまたは加えて、携帯端末１３０により閲覧されるＷｅｂページに、内容情報１１２を記載したＷｅｂページへのリンク情報１１８を追加してもよい。
【００２５】
そして携帯端末１３０は、内容情報サーバ１００に対して要求情報を送信（Ｓ１００）した後に、ユーザ２００の指示により携帯端末１３０により閲覧されるＷｅｂページにアクセスすることにより、図７に示すように、内容情報１１２を記載したＷｅｂページへのリンク情報１１８が追加されたＷｅｂページを表示部１３２に表示する。
【００２６】
また、ステップＳ２０６において、なお、内容情報サーバ１００が減算した１５秒は、テレビジョン放送を観ていたユーザ２００がチャンネル番号を入力するまでの時間、または、ネットワーク１８０による遅延等を考慮したものであって、１５秒よりも小さな時間または大きな時間であってもよい。
【００２７】
また、情報作成者３００、３０１は、テレビジョン受信機１６０、１６１においてテレビジョン放送を観たのちに、そのテレビジョン放送の内容を要約した内容情報を生成する。このため内容情報サーバ１００は、そのテレビジョン放送の内容に対応する内容情報を要求する要求情報を受信する時刻よりも後（例えば、テレビ局１４０、１４１がテレビジョン放送を送信してから２分後）に、そのテレビジョン放送の内容に対応する内容情報を内容情報データベース１１０に格納する場合が多い。したがって、ステップＳ２０６において内容情報サーバ１００は、テレビジョン放送の内容に対応する内容情報を要求する要求情報に係る受信時刻から「１５秒」を減算した時刻より後に格納した内容情報を、その要求情報により要求されている内容情報とみなして抽出する。また、ステップＳ２１０において内容情報サーバ１００は、ステップＳ２０６において複数の内容情報を抽出した場合には、その受付時刻に最も近い内容情報を、その要求情報により要求されている内容情報とみなして、応答情報を送信する。
【００２８】
また、ステップＳ１００およびステップＳ２０２において、携帯端末１３０および内容情報サーバ１００は、例えば、i-mode（登録商標）又はWAP（Wireless Application Protocol）等により要求情報を送受信する。また、携帯端末１３０および内容情報サーバ１００は、これにかえて、要求情報を電子メールにより送受信してもよい。同様に、ステップＳ２１０およびステップＳ１１２において、内容情報サーバ１００および携帯端末１３０は、例えば、i-mode（登録商標）又はWAP（Wireless Application Protocol）等により応答情報を送受信する。また、携帯端末１３０および内容情報サーバ１００は、これにかえて、応答情報を電子メールにより送受信してもよい。
【００２９】
また、携帯端末１３０は、内容情報サーバ１００に格納されたチャンネル選択画面１３６としてのＷｅｂページおよび内容情報を記載したＷｅｂページ等を表示することにかえて、携帯端末１３０に格納されたアプリケーションソフトウェアによってチャンネル選択画面１３６および内容情報を記載した画面等を表示してもよい。例えば、そのアプリケーションソフトウェアは、携帯端末１３０に予め格納されたチャンネル選択画面１３６を表示し、受信した応答情報から内容情報を記載した画面を生成して表示してもよい。
【００３０】
以上、本実施形態によれば、テレビジョン放送を視聴中の視聴者は、そのテレビジョン放送の視聴中にそのテレビジョン放送において提供された情報を簡便に取得することができる。また、テレビジョン放送において情報を提供する提供者は、そのテレビジョン放送を視聴中の視聴者に対して確実に情報を提供することができる。
【００３１】
なお、本実施例において、テレビジョン放送は、録画放送であっても、生放送であってもよい。また、テレビジョン放送の内容は、番組の全部若しくは一部、または、コマーシャルであってもよい。
【００３２】
また、携帯端末１３０は、携帯電話、ＰＨＳ（Personal Handyphone System）に限定するものではなく、ＰＤＡ（Personal Digital Assistance）、手のひらサイズのパーソナルコンピュータ等であってもよい。また、上記端末にテレビジョン受信機を組み込んで、端末とテレビジョン受信機とが一体であってもよい。
【００３３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００３４】
【図１】放送内容確認システム１０の一例を示す。
【図２】内容情報データベース１１０の一例を模式的に示す。
【図３】携帯端末１３０のチャンネル選択画面１３６の一例を模式的に示す。
【図４】放送内容確認システム１０の動作の一例をフローチャートで示す。
【図５】内容情報サーバ１００が格納する未処理情報の一例を模式的に示す。
【図６】表示部１３２に表示される内容情報１１２の一例を示す。
【図７】表示部１３２に表示されるリンク情報１１８の一例を示す。
【符号の説明】
【００３５】
１０  放送内容確認システム
１００  内容情報サーバ
１１０  内容情報データベース
１１２  内容情報
１１４  内容情報
１１８  リンク情報
１２０  テレビジョン受信機
１３０  携帯端末
１３２  表示部
１３４  入力部
１３６  チャンネル選択画面
１４０  テレビ局
１４１  テレビ局
１５０  パーソナルコンピュータ
１５１  パーソナルコンピュータ
１６０  テレビジョン受信機
１６１  テレビジョン受信機
１８０  ネットワーク
２００  ユーザ
３００  情報作成者
３０１  情報作成者
【図１】
2007184708.tif 000003
【図２】
2007184708.tif 000004
【図３】
2007184708.tif 000005
【図４】
2007184708.tif 000006
【図５】
2007184708.tif 000007
【図６】
2007184708.tif 000008
【図７】
2007184708.tif 000009